(57)【要約】【課題】簡易な操作によってセキュリティー性の高い認証処理を可能にすること。【解決手段】登録手書き手順取得部は、操作パネルに対する手書き操作の軌跡と前記手書き操作の時間、速度および画数のうちの１つまたは複数とを含む手書き手順を表す登録手書き手順の情報が予め記憶された記憶部から、前記登録手書き手順の情報を取得する（Ｓ２０３）。手書き検出部は、前記操作パネルに対する長押し操作が継続して検出されている期間に、前記操作パネルに対する手書き操作における前記手書き手順を検出する（Ｓ２０６）。手書き認証部は、検出された前記手書き手順が取得された前記登録手書き手順に対して予め定められた近似条件を満たすか否かを判定することによって認証可否を判定する（Ｓ２０７，Ｓ２０９）。【選択図】図３
2018026026.tif 000002
【特許請求の範囲】
【請求項１】
マルチタッチ操作を検出可能な操作パネルと、
前記操作パネルに対する手書き操作の軌跡と前記手書き操作の時間、速度および画数のうちの１つまたは複数とを含む手書き手順を表す登録手書き手順の情報が予め記憶された記憶部から、前記登録手書き手順の情報を取得する登録手書き手順取得部と、
前記操作パネルに対する長押し操作を検出する長押し検出部と、
前記長押し操作が継続して検出されている期間に、前記操作パネルに対する前記手書き操作における前記手書き手順を検出する手書き検出部と、
検出された前記手書き手順が取得された前記登録手書き手順に対して予め定められた近似条件を満たすか否かを判定することによって認証可否を判定する手書き認証部と、を備える認証装置。
【請求項２】
前記操作パネルと一体に形成された表示部と、
前記手書き検出部の検出結果を前記表示部に表示させる検出結果表示制御部と、をさらに備える、請求項１に記載の認証装置。
【請求項３】
前記登録手書き手順の情報に関連づけられた登録パスワードが予め記憶された前記記憶部から、前記登録パスワードを取得する登録パスワード取得部と、
前記操作パネルと一体に形成された表示部と、
前記表示部にパスワード入力枠を表示させる入力枠表示制御部と、
前記操作パネルにおける前記パスワード入力枠に対応する領域に対する前記長押し操作に満たない時間の操作である短押し操作を検出する短押し操作検出部と、
前記短押し操作が検出された場合に、前記操作パネルに対する文字列入力操作に従って入力パスワードを特定するパスワード入力部と、
特定された前記入力パスワードと取得された前記登録パスワードとを照合することによって認証可否を判定する認証するパスワード認証部と、をさらに備え、
前記長押し検出部は、前記操作パネルにおける前記パスワード入力枠に対応する領域に対する前記長押し操作を検出する、請求項１または請求項２に記載の認証装置。
【請求項４】
前記手書き手順および前記登録手書き手順が、前記操作パネルに対する前記手書き操作の前記画数と一画ごとの操作時間および操作速度の一方または両方とを含む、請求項１から請求項３のいずれか１項に記載の認証装置。
【請求項５】
前記手書き認証部は、前記手書き操作における一画ごとの軌跡と前記手書き操作における一画ごとの時間および速度の一方または両方とが前記手書き検出部によって検出されるごとに、一画ごとの検出結果が前記登録手書き手順に対して前記近似条件を満たすか否かを判定し、前記一画ごとの検出結果が前記登録手書き手順に対して前記近似条件を満たさないと判定したときに認証不可と判定する、請求項４に記載の認証装置。
【請求項６】
前記操作パネルと一体に形成された表示部と、
前記長押し操作が検出された場合に、前記手書き操作を受け付ける領域を示す手書き枠を前記表示部に表示させ、少なくとも前記操作パネルに対する前記長押し操作が検出されなくなったときに前記手書き枠を前記表示部から消去させる手書き枠表示制御部と、をさらに備え、
前記手書き検出部は、前記手書き枠が前記表示部に表示されている期間に、前記操作パネルにおける前記手書き枠が示す領域に対する前記手書き操作の前記手書き手順を検出する、請求項１から請求項５のいずれか１項に記載の認証装置。
【請求項７】
原稿の画像を読み取る画像読取部およびシートに画像を形成する画像形成部の一方または両方を含む画像処理部と、
前記画像処理部の利用の認証可否を判定する請求項１から請求項６のいずれか１項に記載の前記認証装置と、を備える画像処理装置。
【請求項８】
マルチタッチ操作を検出可能な操作パネルに対する手書き操作の軌跡と前記手書き操作の時間、速度および画数のうちの１つまたは複数とを含む手書き手順を表す登録手書き手順の情報が予め記憶された記憶部から、前記登録手書き手順の情報を取得する工程と、
前記操作パネルに対する長押し操作を検出する工程と、
前記長押し操作が継続して検出されている期間に、前記操作パネルに対する前記手書き操作における前記手書き手順を検出する工程と、
検出された前記手書き手順が取得された前記登録手書き手順に対して予め定められた近似条件を満たすか否かを判定することによって認証可否を判定する工程と、を含む認証方法。
【発明の詳細な説明】
【技術分野】
【０００１】
本発明は、認証装置、画像処理装置および認証方法に関する。
【背景技術】
【０００２】
一般に、画像形成装置および画像読取装置などの画像処理装置は、操作パネルと表示部とが一体化されたタッチパネルを備える。この場合、前記画像処理装置の認証処理において、前記操作パネルに対する操作を通じて入力されるパスワードが、予め登録されたパスワードと照合される。
【０００３】
また、前記認証処理に必要な入力情報が、前記操作パネルに対する手書き操作によって入力される場合がある。例えば、前記認証処理において、前記操作パネルに対する手書き操作の軌跡が検出され、検出された軌跡と予め登録されたデータが示す軌跡とが、パターン認識処理によって照合されることが知られている（例えば、特許文献１参照）。
【０００４】
上記の場合、前記表示部に表示された入力開始ボタンをタップするなどの画面呼出操作と、前記画面呼出操作によって前記表示部に表示される手書き入力画面に対する手書き操作と、前記手書き入力画面を消去して前記認証処理を開始するための認証開始操作とが必要である。
【先行技術文献】
【特許文献】
【０００５】
【特許文献１】特開２００９−１７１４１８号公報
【発明の概要】
【発明が解決しようとする課題】
【０００６】
ところで、前記認証処理において、ユーザーが前記パスワードの入力操作または前記手書き操作の後に前記認証開始操作を行うことは手間である。
【０００７】
また、前記パスワードの照合に基づく前記認証処理では、セキュリティー性を高めるために長い前記パスワードの入力が必要となる。長い前記パスワードを入力する操作は煩雑である。
【０００８】
また、前記手書き操作の軌跡の照合に基づく前記認証処理では、セキュリティー性を高めるために、前記照合において厳格な一致条件が採用されると、認証失敗が不当に頻発するおそれがある。
【０００９】
一方、前記手書き操作の軌跡の照合において、比較的許容範囲の広い近似条件が採用される場合、セキュリティー性を高めるために複雑な軌跡の前記手書き操作が必要となる。複雑な軌跡の前記手書き操作を行うことは煩雑である。
【００１０】
本発明の目的は、簡易な操作によってセキュリティー性の高い認証処理が可能な認証装置、それを備える画像処理装置および認証方法を提供することにある。
【課題を解決するための手段】
【００１１】
本発明の一の局面に係る認証装置は、操作パネルと、登録手書き手順取得部と、長押し検出部と、手書き検出部と、手書き認証部とを備える。前記操作パネルは、マルチタッチ操作を検出可能なパネルである。前記登録手書き手順取得部は、前記操作パネルに対する手書き操作の軌跡と前記手書き操作の時間、速度および画数のうちの１つまたは複数とを含む手書き手順を表す登録手書き手順の情報が予め記憶された記憶部から、前記登録手書き手順の情報を取得する。前記長押し検出部は、前記操作パネルに対する長押し操作を検出する。前記手書き検出部は、前記長押し操作が継続して検出されている期間に、前記操作パネルに対する前記手書き操作における前記手書き手順を検出する。前記手書き認証部は、検出された前記手書き手順が取得された前記登録手書き手順に対して予め定められた近似条件を満たすか否かを判定することによって認証可否を判定する。
【００１２】
本発明の他の局面に係る画像処理装置は、画像処理部と前記認証装置とを備える。前記画像処理部は、原稿の画像を読み取る画像読取部およびシートに画像を形成する画像形成部の一方または両方を含む。
【００１３】
本発明の他の局面に係る認証方法は複数の工程を含む。前記方法は、マルチタッチ操作を検出可能な操作パネルに対する手書き操作の軌跡と前記手書き操作の時間、速度および画数のうちの１つまたは複数とを含む手書き手順を表す登録手書き手順の情報が予め記憶された記憶部から、前記登録手書き手順の情報を取得する工程を含む。前記方法は、前記操作パネルに対する長押し操作を検出する工程も含む。前記方法は、前記長押し操作が継続して検出されている期間に、前記操作パネルに対する前記手書き操作における前記手書き手順を検出する工程も含む。前記方法は、検出された前記手書き手順が取得された前記登録手書き手順に対して予め定められた近似条件を満たすか否かを判定することによって認証可否を判定する工程も含む。
【発明の効果】
【００１４】
本発明によれば、簡易な操作によってセキュリティー性の高い認証処理が可能な認証装置、それを備える画像処理装置および認証方法を提供することが可能になる。
【図面の簡単な説明】
【００１５】
【図１】図１は、実施形態に係る画像処理装置のブロック図である。
【図２】図２は、実施形態に係る画像処理装置における認証情報登録処理の手順の一例を表すフローチャートである。
【図３】図３は、実施形態に係る画像処理装置におけるログイン処理の手順の一例を表すフローチャートである。
【図４】図４は、実施形態に係る画像処理装置における認証情報登録画面の一例を表す図である。
【図５】図５は、実施形態に係る画像処理装置における仮想キーボードが表示されているときの認証情報登録画面の一例を表す図である。
【図６】図６は、実施形態に係る画像処理装置における手書き操作が行われているときの認証情報登録画面の一例を表す図である。
【図７】図７は、実施形態に係る画像処理装置におけるログイン画面の一例を表す図である。
【図８】図８は、実施形態に係る画像処理装置における手書き枠が表示されているといのログイン画面の一例を表す図である。
【図９】図９は、実施形態に係る画像処理装置における手書き操作が行われているときのログイン画面の一例を表す図である。
【図１０】図１０は、実施形態に係る画像処理装置における手書き認証エラーが生じたときのログイン画面の一例を表す図である。
【図１１】図１１は、実施形態に係る画像処理装置における仮想キーボードが表示されているときのログイン画面の一例を表す図である。
【発明を実施するための形態】
【００１６】
以下、添付図面を参照しながら、本発明の実施形態について説明する。なお、以下の実施形態は、本発明を具体化した一例であって、本発明の技術的範囲を限定する性格を有さない。
【００１７】
［画像処理装置１０の構成］
図１に示されるように、実施形態に係る画像処理装置１０は、ＴＰＵ（タッチパネルユニット）１、画像読取部２、画像形成部３，データ記憶部４および制御部５などを備える。ＴＰＵ１は、一体に形成された操作パネル１ａおよび表示部１ｂを含む。
【００１８】
操作パネル１ａは、マルチタッチ操作を検出可能なパネルである。例えば、静電容量式、抵抗式または光学式の操作パネル１ａが採用されることが考えられる。また、表示部１ｂは、液晶パネルなどのパネル状の表示デバイスである。
【００１９】
画像読取部２は、原稿の画像を読み取る画像スキャン処理を実行する装置である。例えば、画像読取部２は、前記原稿が載置されるプラテンガラス、前記原稿に対して光を出射する光源、前記光源を前記プラテンガラスに沿って移動させる機構、前記原稿からの反射光を受光して画像データを出力するラインセンサーなどを備える。
【００２０】
画像形成部３は、電子写真方式またはインクジェット方式などの予め定められた方式でシートに画像を形成するプリント処理を実行する装置である。例えば、画像形成部３は、画像読取部２によって得られる画像データが表す画像を前記シートに形成する。
【００２１】
なお、本実施形態において、画像読取部２および画像形成部３が画像処理部２００を構成している。また、画像処理部２００が、画像読取部２および画像形成部３の一方のみを含むことも考えられる。
【００２２】
データ記憶部４は、非一時的かつコンピューター読み取り可能なメモリーである。例えば、ハードディスクドライブまたはフラッシュメモリーなどが、データ記憶部４として採用される。
【００２３】
制御部５は、各種の演算、データ処理および画像処理装置１０が備える各種の電子機器の制御を実行する。制御部５は、バス６を通じてＴＰＵ１、画像読取部２、画像形成部３およびデータ記憶部４との間でデータおよび制御信号の受け渡しが可能である。
【００２４】
制御部５は、ＴＰＵ１を制御するＵＩ（ユーザーインターフェイス）制御部５１、画像読取部２を制御する画像読取制御部５２および画像形成部３を制御する画像形成制御部５３などを含む。ＵＩ制御部５１は、ＴＰＵ１を制御するとともに、後述する認証情報登録処理およびログイン処理などを実行する。
【００２５】
例えば、制御部５は、予めデータ記憶部４などに記憶されたプログラムを実行するプロセッサーによって実現される。前記プロセッサーは、ＭＰＵ（Micro Processor Unit）またはＤＳＰ（Digital Signal Processor）などである。
【００２６】
ＵＩ制御部５１が、ＴＰＵ１に対して予め定められたスキャン開始操作が行われたことを検出すると、画像読取制御部５２は、画像読取部２に前記画像スキャン処理を実行させる。また、ＵＩ制御部５１が、ＴＰＵ１に対して予め定められたコピー開始操作が行われたことを検出すると、画像読取制御部５２が、画像読取部２に前記画像スキャン処理を実行させ、画像形成制御部５３が、画像形成部３に前記プリント処理を実行させる。
【００２７】
ＵＩ制御部５１は、登録制御部５１ａ、タッチ操作検出部５１ｂ、文字列入力制御部５１ｃ、ＩＤ重複チェック部５１ｄ、手書き枠表示制御部５１ｅ、手書き検出部５１ｆ、検出結果表示制御部５１ｇ、ログイン制御部５１ｈ、登録情報取得部５１ｉ、手書き認証部５１ｊおよびパスワード認証部５１ｋなどを含む。
【００２８】
前記ログイン処理は、ＴＰＵ１を通じて入力される入力認証情報に基づいて、ユーザーに画像処理装置１０の利用を許容するか否かを判定する処理である。前記ログイン処理は、認証処理の一例である。また、前記認証情報登録処理は、前記ログイン処理に先だって、前記入力認証情報と比較される登録認証情報４ｘをデータ記憶部４に記憶させる処理である。
【００２９】
画像処理装置１０において、ＴＰＵ１およびＵＩ制御部５１は、前記ログイン処理を実行する認証装置１００を構成している。認証装置１００は、画像処理部２００の利用の認証可否を判定する。
【００３０】
ところで、従来の一般的な認証装置において、前記ログイン処理に必要な入力情報が、操作パネル１ａに対する手書き操作によって入力される場合がある。例えば、前記ログイン処理において、操作パネル１ａに対する手書き操作の軌跡が検出され、検出された軌跡と予め登録されたデータが示す軌跡とが、パターン認識処理によって照合されることが知られている。
【００３１】
上記の場合、表示部１ｂに表示された入力開始ボタンをタップするなどの画面呼出操作と、前記画面呼出操作によって表示部１ｂに表示される手書き入力画面に対する手書き操作と、前記手書き入力画面を消去して前記ログイン処理を開始するための認証開始操作とが必要である。
【００３２】
前記ログイン処理において、ユーザーがパスワードの入力操作またはＴＰＵ１に対する手書き操作の後に前記認証開始操作を行うことは手間である。
【００３３】
また、前記パスワードの照合に基づく前記ログイン処理では、セキュリティー性を高めるために長い前記パスワードの入力が必要となる。長い前記パスワードを入力する操作は煩雑である。
【００３４】
また、前記手書き操作の軌跡の照合に基づく前記ログイン処理では、セキュリティー性を高めるために、前記照合において厳格な一致条件が採用されると、認証失敗が不当に頻発するおそれがある。
【００３５】
一方、前記手書き操作の軌跡の照合において、比較的許容範囲の広い近似条件が採用される場合、セキュリティー性を高めるために複雑な軌跡の前記手書き操作が必要となる。複雑な軌跡の前記手書き操作を行うことは煩雑である。
【００３６】
本実施形態における認証装置１００は、簡易な操作によってセキュリティー性の高い前記ログイン処理が可能である。以下、認証装置１００による前記認証情報登録処理および前記ログイン処理について説明する。
【００３７】
［前記認証情報登録処理］
まず、図２に示されるフローチャートを参照しつつ、認証装置１００による前記認証情報登録処理の手順の一例について説明する。以下の説明において、Ｓ１０１，Ｓ１０２，…は、ＵＩ制御部５１が実行する工程の識別符号を表す。
【００３８】
操作パネル１ａまたは不図示の操作ボタンに対して予め定められた登録開始操作が行われたときに、ＵＩ制御部５１の登録制御部５１ａが認証情報登録画面ｇ０を表示させる（図４参照）。これにより、前記認証情報登録処理が開始する。
【００３９】
図４に示されるように、認証情報登録画面ｇ０は、ユーザーＩＤ入力枠ｇ０１、パスワード入力枠ｇ０２、手書きアイコンｇ０３、登録アイコンｇ０４および中止アイコンｇ０５などを含む。
【００４０】
ユーザーＩＤ入力枠ｇ０１は、ユーザー名などのユーザーＩＤの入力操作を受け付ける領域を表す。パスワード入力枠ｇ０２は、前記ユーザーＩＤに対応するパスワードの入力操作を受け付ける領域を表す。手書きアイコンｇ０３は、後述する手書き線画ｇ１００の入力操作が行われる場合に操作されるアイコンである（図６参照）。
【００４１】
＜工程Ｓ１０１＞
認証情報登録画面ｇ０が表示部１ｂに表示されているときに、タッチ操作検出部５１ｂは、操作パネル１ａに対するタッチ操作を検出する。その際、タッチ操作検出部５１ｂは、認証情報登録画面ｇ０に対応する予め定められた５種類のタッチ操作を識別しつつ、操作パネル１ａに対するタッチ操作を検出する。
【００４２】
前記５種類のタッチ操作は、ユーザーＩＤ入力枠ｇ０１をタッチする操作、パスワード入力枠ｇ０２をタッチする操作、手書きアイコンｇ０３の長押し操作、登録アイコンｇ０４をタッチする操作および中止アイコンｇ０５をタッチする操作である。
【００４３】
前記長押し操作は、操作パネル１ａの同じ位置を予め定められた長押し時間以上継続してタッチし続ける操作である。タッチ操作検出部５１ｂは、前記５種類のタッチ操作のいずれかを検出するまで工程Ｓ１０１の処理を繰り返す。
【００４４】
タッチ操作検出部５１ｂは、ユーザーＩＤ入力枠ｇ０１をタッチする操作を検出した場合、処理を工程Ｓ１０２へ移行させる。また、タッチ操作検出部５１ｂは、手書きアイコンｇ０３の前記長押し操作を検出した場合、処理を工程Ｓ１０６へ移行させる。また、タッチ操作検出部５１ｂは、パスワード入力枠ｇ０２をタッチする操作を検出した場合、処理を工程Ｓ１０９へ移行させる。
【００４５】
タッチ操作検出部５１ｂは、登録アイコンｇ０４をタッチする操作を検出した場合、処理を工程Ｓ１１１へ移行させる。また、タッチ操作検出部５１ｂは、中止アイコンｇ０５をタッチする操作を検出した場合、前記認証情報登録処理を終了させる。
【００４６】
＜工程Ｓ１０２＞
工程Ｓ１０２において、文字列入力制御部５１ｃが、表示部１ｂに文字列入力用の仮想キーボードｇ００を表示させる（図５参照）。
【００４７】
＜工程Ｓ１０３＞
さらに、文字列入力制御部５１ｃが、操作パネル１ａにおける仮想キーボードｇ００の領域でのキータッチ操作に従って、前記ユーザーＩＤを表す文字列を設定する。以下、仮想キーボードｇ００のキータッチ操作を通じて得られる前記ユーザーＩＤのことを入力ユーザーＩＤと称する。
【００４８】
＜工程Ｓ１０４＞
続いて、ＩＤ重複チェック部５１ｄが、前記入力ユーザーＩＤがデータ記憶部４に既に記憶されている登録ユーザーＩＤと一致しない未登録ＩＤであるか否かを判定する。
【００４９】
ＩＤ重複チェック部５１ｄは、前記入力ユーザーＩＤが前記未登録ＩＤであると判定した場合、前記入力ユーザーＩＤの記憶を保持したまま処理を工程Ｓ１０１へ移行させる。一方、ＩＤ重複チェック部５１ｄは、前記入力ユーザーＩＤが前記未登録ＩＤではないと判定した場合、処理を工程Ｓ１０５へ移行させる。
【００５０】
＜工程Ｓ１０５＞
工程Ｓ１０５において、ＩＤ重複チェック部５１ｄは、工程Ｓ１０３で設定された前記入力ユーザーＩＤを破棄した上で、処理を工程Ｓ１０１へ移行させる。
【００５１】
＜工程Ｓ１０６＞
工程Ｓ１０６において、手書き枠表示制御部５１ｅが、手書き線画ｇ１００の入力領域を表す手書き枠ｇ１を表示部１ｂに表示させる（図６参照）。手書き線画ｇ１００は、前記手書き操作の軌跡を表す。図６に示される例において、手書き枠表示制御部５１ｅは、前記手書き操作の位置の目安となるグリッドｇ１０を手書き枠ｇ１内に表示させる。
【００５２】
＜工程Ｓ１０７＞
さらに、手書き検出部５１ｆが、手書きアイコンｇ０３の前記長押し操作が継続して検出されている期間に、手書き検出処理を実行する。前記手書き検出処理は、操作パネル１ａの手書き枠ｇ１内に対する前記手書き操作を検出する処理である。
【００５３】
前記手書き操作は、操作パネル１ａに対する複数画のスライドタッチ操作であり、その複数画のスライドタッチ操作の軌跡ｇ１１が手書き線画ｇ１００を表す。
【００５４】
ユーザーは、一方の手の指である第１の指９１で手書きアイコンｇ０３に対する前記長押し操作を行いつつ、他方の手の指である第２の指９２で前記手書き操作を行う（図６参照）。第１の指９１は、操作パネル１ａに最初に触れる指であり、第２の指９２は、第１の指９１が操作パネル１ａに触れている期間に操作パネル１ａに触れる指である。
【００５５】
また、ＵＩ制御部５１において、タッチ操作検出部５１ｂが操作パネル１ａに対する前記長押し操作を検出し（Ｓ１０１）、手書き検出部５１ｆが、前記長押し操作の継続中における操作パネル１ａに対する前記手書き操作を検出する（Ｓ１０７）。
【００５６】
前記手書き検出処理において、手書き検出部５１ｆは、前記手書き操作における手書き手順を検出する。前記手書き手順は、前記手書き操作の軌跡ｇ１１と、前記手書き操作の時間、速度および画数のうちの１つまたは複数とを含む。前記手書き手順は、認証情報の一部であり、前記パスワードの代替情報である。
【００５７】
本実施形態において、前記手書き手順は、前記手書き操作の軌跡ｇ１１と、前記手書き操作の時間、速度および画数のうちの１つまたは複数とを含む。例えば、手書き検出部５１ｆが検出する前記手書き手順が、前記手書き操作おける一画ごとの軌跡ｇ１１と、前記手書き操作おける一画ごとの時間および速度の一方または両方と、前記手書き操作の画数とを含むことが考えられる。
【００５８】
例えば、手書き検出部５１ｆは、操作パネル１ａから離れないスライドタッチ操作が続く場合であっても、そのスライドタッチ操作の速度がゼロになった位置を、一画の終了位置および次の一画の開始位置として検出する。
【００５９】
以下の説明において、手書き検出部５１ｆによって検出される前記手書き操作の前記手書き手順のことを検出手書き手順と称する。
【００６０】
また、工程Ｓ１０７において、検出結果表示制御部５１ｇが、手書き検出部５１ｆの検出結果を表示部１ｂに表示させる。図６に示される例では、検出結果表示制御部５１ｇは、手書き検出部５１ｆの検出結果として、前記手書き操作の一画ごとの軌跡ｇ１１と、前記一画ごとの軌跡ｇ１１の移動方向を表す矢印ｇ１２と、前記一画ごとの書き順ｇ１３とを表示部１ｂに表示させる。
【００６１】
＜工程Ｓ１０８＞
一方、タッチ操作検出部５１ｂは、手書きアイコンｇ０３の前記長押し操作が継続しているか否かを監視する。タッチ操作検出部５１ｂは、手書きアイコンｇ０３の前記長押し操作が継続している間に、手書き検出部５１ｆによる工程Ｓ１０７の処理を許容する。タッチ操作検出部５１ｂは、手書きアイコンｇ０３の前記長押し操作が検出されなくなった時点を、前記手書き操作の終了時点であると判定する。
【００６２】
手書き枠表示制御部５１ｅは、少なくとも手書きアイコンｇ０３に対する前記長押し操作が検出されなくなったときに、手書き枠ｇ１を表示部１ｂの認証情報登録画面ｇ０から消去させ、処理を工程Ｓ１０１へ移行させる。その際、前記検出手書き手順の記憶が保持された状態で、処理が工程Ｓ１０８から工程Ｓ１０１へ移行する。
【００６３】
なお、手書き枠ｇ１内での前記手書き操作が検出されない状態が予め定められた時間以上継続した場合にも、手書き枠表示制御部５１ｅが、手書き枠ｇ１を表示部１ｂの認証情報登録画面ｇ０から消去させ、処理を工程Ｓ１０１へ移行させることも考えられる。
【００６４】
＜工程Ｓ１０９＞
工程Ｓ１０９において、文字列入力制御部５１ｃが、表示部１ｂに文字列入力用の仮想キーボードｇ００を表示させる。
【００６５】
＜工程Ｓ１１０＞
さらに、文字列入力制御部５１ｃが、操作パネル１ａにおける仮想キーボードｇ００の領域でのキータッチ操作に従って、前記パスワードを設定する。以下、仮想キーボードｇ００のキータッチ操作を通じて得られる前記パスワードのことを入力パスワードと称する。
【００６６】
文字列入力制御部５１ｃは、前記入力パスワードの記憶を保持したまま処理を工程Ｓ１０１へ移行させる。
【００６７】
＜工程Ｓ１１１＞
登録アイコンｇ０４のタッチ操作が検出された場合、登録制御部５１ａが、予め定められた必須情報が工程Ｓ１０３，Ｓ１０７，Ｓ１１０において入力済みであるか否かを判定する。工程Ｓ１０３で得られる前記入力ユーザーＩＤと、工程Ｓ１０７で得られる前記検出手書き手順および工程Ｓ１１０で得られる前記入力パスワードの少なくとも一方とが、前記必須情報である。
【００６８】
登録制御部５１ａは、前記必須情報が入力済みであると判定した場合、処理を次の工程Ｓ１１２へ移行させ、そうでない場合、所定のエラー通知を表示部１ｂに表示させた上で、処理を工程Ｓ１０１へ移行させる。
【００６９】
＜工程Ｓ１１２＞
工程Ｓ１１２において、登録制御部５１ａは、工程Ｓ１０３で得られた前記入力ユーザーＩＤと、工程Ｓ１０７，Ｓ１１０で得られた前記検出手書き手順および前記入力パスワードの一方または両方とを、関連づけて登録認証情報４ｘとしてデータ記憶部４に記憶させる。その後、登録制御部５１ａは、前記認証情報登録処理を終了させる。
【００７０】
登録認証情報４ｘは、工程Ｓ１０３で得られた前記入力ユーザーＩＤに相当する登録ユーザーＩＤ４ａと、工程Ｓ１０７で得られた前記検出手書き手順に相当する登録手書き手順４ｂおよびＳ１１０で得られた前記入力パスワードに相当する登録パスワード４ｃの一方または両方とを含む。
【００７１】
［前記ログイン処理］
次に、図３に示されるフローチャートを参照しつつ、認証装置１００による前記ログイン処理の手順の一例について説明する。以下の説明において、Ｓ２０１，Ｓ２０２，…は、ＵＩ制御部５１が実行する工程の識別符号を表す。
【００７２】
画像処理装置１０が起動したときに、ＵＩ制御部５１のログイン制御部５１ｈがログイン画面ｇ２を表示させる（図７参照）。これにより、前記ログイン処理が開始する。
【００７３】
図７に示されるように、ログイン画面ｇ２は、ユーザーＩＤ入力枠ｇ２１、パスワード入力枠ｇ２２およびログインアイコンｇ２３などを含む。なお、パスワード入力枠ｇ２２を含むログイン画面ｇ２を表示部１ｂに表示させるログイン制御部５１ｈは、入力枠表示制御部の一例である。
【００７４】
ユーザーＩＤ入力枠ｇ２１は、前記ログイン処理で用いられる前記ユーザーＩＤの入力操作を受け付ける領域を表す。パスワード入力枠ｇ２２は、前記ログイン処理で用いられる前記ユーザーＩＤに対応する前記パスワードの入力操作を受け付ける領域を表す。
【００７５】
＜工程Ｓ２０１＞
ログイン画面ｇ２が表示部１ｂに表示されているときに、タッチ操作検出部５１ｂは、操作パネル１ａに対するタッチ操作を検出する。その際、タッチ操作検出部５１ｂは、ログイン画面ｇ２に対応する予め定められた４種類のタッチ操作を識別しつつ、操作パネル１ａに対するタッチ操作を検出する。
【００７６】
前記４種類のタッチ操作は、ユーザーＩＤ入力枠ｇ２１をタッチする操作、パスワード入力枠ｇ２２の短押し操作、パスワード入力枠ｇ２２の長押し操作およびログインアイコンｇ２３をタッチする操作である。前記長押し操作は、操作パネル１ａにおけるパスワード入力枠ｇ２２に対応する領域に対して前記長押し時間以上継続してタッチし続ける操作である。
【００７７】
一方、前記短押し操作は、操作パネル１ａにおけるパスワード入力枠ｇ２２に対応する領域に対する前記長押し操作に満たない時間のタッチ操作である。タッチ操作検出部５１ｂは、前記４種類のタッチ操作のいずれかを検出するまで工程Ｓ２０１の処理を繰り返す。
【００７８】
タッチ操作検出部５１ｂは、ユーザーＩＤ入力枠ｇ２１をタッチする操作を検出した場合、処理を工程Ｓ２０２へ移行させる。また、タッチ操作検出部５１ｂは、パスワード入力枠ｇ２２の前記長押し操作を検出した場合、処理を工程Ｓ２０４へ移行させる。また、タッチ操作検出部５１ｂは、パスワード入力枠ｇ２２を前記短押しする操作を検出した場合、処理を工程Ｓ２１１へ移行させる。
【００７９】
タッチ操作検出部５１ｂは、ログインアイコンｇ２３をタッチする操作を検出した場合、処理を工程Ｓ２１４へ移行させる。
【００８０】
なお、工程Ｓ２０１において、パスワード入力枠ｇ２２の前記長押し操作を検出するタッチ操作検出部５１ｂは、操作パネル１ａに対する前記長押し操作を検出する長押し検出部の一例である。
【００８１】
また、Ｓ２０１において、操作パネル１ａにおけるパスワード入力枠ｇ２２に対応する領域に対する前記短押し操作を検出するタッチ操作検出部５１ｂは、短押し操作検出部の一例である。
【００８２】
＜工程Ｓ２０２＞
工程Ｓ２０２において、ログイン制御部５１ｈが、操作パネル１ａにおけるユーザーＩＤ入力枠ｇ２１の領域での選択操作に従って、登録認証情報４ｘに含まれる登録ユーザーＩＤ４ａから前記ログイン処理で用いられる前記ユーザーＩＤを選択する。以下、工程Ｓ２０２で選択される登録ユーザーＩＤ４ａのことを選択ユーザーＩＤと称する。
【００８３】
工程Ｓ２０２において、登録情報取得部５１ｉが、データ記憶部４から全ての登録ユーザーＩＤ４ａを取得し、ログイン制御部５１ｈが、それら全ての登録ユーザーＩＤ４ａを選択候補として表示部１ｂに表示させる。
【００８４】
＜工程Ｓ２０３＞
さらに、登録情報取得部５１ｉが、前記選択ユーザーＩＤに対応する登録手書き手順４ｂおよび登録パスワード４ｃをデータ記憶部４から取得する。その後、ログイン制御部５１ｈが、処理を工程Ｓ２０１へ移行させる。
【００８５】
なお、工程Ｓ２０３の処理を実行する登録情報取得部５１ｉが、前記手書き手順を表す登録手書き手順４ｂの情報が予め記憶されたデータ記憶部４から、登録手書き手順４ｂの情報を取得する登録手書き手順取得部の一例である。
【００８６】
また、工程Ｓ２０３の処理を実行する登録情報取得部５１ｉは、登録手書き手順４ｂの情報に関連づけられた登録パスワード４ｃが予め記憶されたデータ記憶部４から、登録パスワード４ｃを取得する登録パスワード取得部の一例でもある。
【００８７】
＜工程Ｓ２０４＞
パスワード入力枠ｇ２２の前記長押し操作が検出された場合、ログイン制御部５１ｈは、工程Ｓ２０２の処理によって前記選択ユーザーＩＤが確定済みであるか否かを判定する。ログイン制御部５１ｈは、前記選択ユーザーＩＤが確定済みであると判定した場合、処理を次の工程Ｓ２０５へ移行させ、そうでない場合、所定のエラー通知を表示部１ｂに表示させた上で、処理を工程Ｓ２０１へ移行させる。
【００８８】
＜工程Ｓ２０５＞
工程Ｓ２０５において、手書き枠表示制御部５１ｅが、手書き線画ｇ１００の入力領域を表す手書き枠ｇ１を表示部１ｂに表示させる（図８参照）。工程Ｓ２０５の処理は、パスワード入力枠ｇ２２の前記長押し操作が検出された場合に実行される。
【００８９】
＜工程Ｓ２０６＞
さらに、手書き検出部５１ｆが、図２の工程Ｓ１０７と同様に、パスワード入力枠ｇ２２の前記長押し操作が継続して検出されている期間に、前記手書き検出処理を実行する。その際、手書き検出部５１ｆは、手書き枠ｇ１が表示部１ｂに表示されている期間に、操作パネル１ａにおける手書き枠ｇ１が示す領域に対する前記手書き操作の前記手書き手順を検出する。
【００９０】
ユーザーは、第１の指９１でパスワード入力枠ｇ２２に対する前記長押し操作を行いつつ、第２の指９２で前記手書き操作を行う（図９参照）。
【００９１】
工程Ｓ２０６の前記手書き検出処理においても、手書き検出部５１ｆは、前記手書き操作の軌跡ｇ１１と、前記手書き操作の時間、速度および画数のうちの１つまたは複数とを含む前記手書き手順を検出する。
【００９２】
また、工程Ｓ２０６において、検出結果表示制御部５１ｇが、手書き検出部５１ｆの検出結果を表示部１ｂに表示させる。図９に示される例では、検出結果表示制御部５１ｇは、手書き検出部５１ｆの検出結果として、前記手書き操作の一画ごとの軌跡ｇ１１と、前記一画ごとの軌跡ｇ１１の移動方向を表す矢印ｇ１２と、前記一画ごとの書き順ｇ１３とを表示部１ｂに表示させる。
【００９３】
＜工程Ｓ２０７＞
さらに、手書き認証部５１ｊが、工程Ｓ２０６で検出された前検出手書き手順が、工程Ｓ２０３で取得された前記登録手書き手順に対して予め定められた近似条件を満たすか否かを判定することによって認証可否を判定する。
【００９４】
例えば、前記近似条件は、前記手書き操作における一画ごとの軌跡ｇ１１の近似条件である軌跡近似条件と、前記手書き操作における一画ごとの時間の近似条件である時間近似条件とを含む。また、前記近似条件において、前記手書き操作における前記画数が、前記検出手書き手順と前記登録手書き手順との間で一致することが必要条件である。
【００９５】
例えば、前記軌跡近似条件は、前記検出手書き手順と前記登録手書き手順との間で、前記手書き操作における一画ごとの軌跡ｇ１１の起点位置および終点位置の各々のずれが予め定められた許容位置ずれ範囲内であることを必要条件として含む。
【００９６】
同様に、前記時間近似条件が、前記検出手書き手順と前記登録手書き手順との間で、前記手書き操作における一画ごとの時間の差が予め定められた許容時間差範囲内であることを必要条件として含むことが考えられる。
【００９７】
また、本実施形態において、手書き認証部５１ｊは、前記手書き操作における一画ごとの軌跡ｇ１１と時間および速度の一方または両方とが手書き検出部５１ｆによって検出されるごとに、一画ごとの検出結果が登録手書き手順４ｂに対して前記近似条件を満たすか否かを判定する（Ｓ２０７）。また、手書き認証部５１ｊは、検出された画数が前記登録手書き手順の画数を超えたときに、前記近似条件が成立しないと判定する。
【００９８】
そして、手書き認証部５１ｊは、前記一画ごとの検出結果が登録手書き手順４ｂに対して前記近似条件を満たさないと判定したときに認証不可と判定する。手書き認証部５１ｊは、前記認不可の判定結果が得られた場合、所定のエラー通知ｇ３を表示部１ｂに表示させた上で、処理を工程Ｓ２０１へ移行させる。この場合、工程Ｓ２０６で得られた検出結果は破棄される。
【００９９】
図１０は、手書き認証部５１ｊが、２画目の前記検出手書き手順の軌跡ｇ１１が２画目の登録手書き手順４ｂとの間で前記近似条件を満たさないと判定し、ログイン画面ｇ２にエラー通知ｇ３を表示させた例を示す。
【０１００】
なお、手書き認証部５１ｊは、最終的な認証可否の判定処理を後述する工程Ｓ２０９で実行する。手書き認証部５１ｊによる前記最終的な認証可否の判定処理は、前記手書き操作の前記画数についての前記近似条件の成否を判定する処理を含む。
【０１０１】
＜工程Ｓ２０８＞
一方、タッチ操作検出部５１ｂは、パスワード入力枠ｇ２２の前記長押し操作が継続しているか否かを監視する。タッチ操作検出部５１ｂは、パスワード入力枠ｇ２２の前記長押し操作が継続している間に、手書き検出部５１ｆによる工程Ｓ２０６の処理を許容する。タッチ操作検出部５１ｂは、パスワード入力枠ｇ２２の前記長押し操作が検出されなくなった時点を、前記手書き操作の終了時点であると判定する。
【０１０２】
手書き枠表示制御部５１ｅは、少なくともパスワード入力枠ｇ２２に対する前記長押し操作が検出されなくなったときに、手書き枠ｇ１を表示部１ｂのログイン画面ｇ２から消去させ、処理を工程Ｓ２０９へ移行させる。
【０１０３】
なお、手書き枠ｇ１内での前記手書き操作が検出されない状態が予め定められた時間以上継続した場合にも、手書き枠表示制御部５１ｅが、手書き枠ｇ１を表示部１ｂのログイン画面ｇ２から消去させ、処理を工程Ｓ２０９へ移行させることも考えられる。
【０１０４】
＜工程Ｓ２０８に続く工程Ｓ２０９＞
工程Ｓ２０８に続く工程Ｓ２０９において、手書き認証部５１ｊは、前記最終的な認証可否の判定処理を実行する。具体的には、手書き認証部５１ｊは、前記一画ごとの検出結果の全てが登録手書き手順４ｂに対して前記近似条件を満たし、かつ、検出された総画数が前記登録手書き手順の画数と一致する場合に、認証可と判定し、そうでない場合に、認証不可と判定する。
【０１０５】
そして、手書き認証部５１ｊは、最終的に認証可と判定した場合に、処理を次の工程Ｓ２１０へ移行させ、そうでない場合に、所定のエラー通知を表示部１ｂに表示させた上で、処理を工程Ｓ２０１へ移行させる。
【０１０６】
＜工程Ｓ２１０＞
工程Ｓ２１０において、画像読取制御部５２および画像形成制御部５３がそれぞれ動作モードへ移行し、前記ログイン処理が終了する。これにより、画像処理装置１０は、画像読取部２による前記画像スキャン処理および画像形成部３による前記プリント処理を実行可能な状態になる。
【０１０７】
＜工程Ｓ２１１＞
一方、工程Ｓ２０１において、タッチ操作検出部５１ｂがパスワード入力枠ｇ２２に対する前記短押し操作を検出した場合、ログイン制御部５１ｈは、工程Ｓ２０２の処理によって前記選択ユーザーＩＤが確定済みであるか否かを判定する。ログイン制御部５１ｈは、前記選択ユーザーＩＤが確定済みであると判定した場合、処理を次の工程Ｓ２１２へ移行させ、そうでない場合、所定のエラー通知を表示部１ｂに表示させた上で、処理を工程Ｓ２０１へ移行させる。
【０１０８】
＜工程Ｓ２１２＞
工程Ｓ２１２において、文字列入力制御部５１ｃが、表示部１ｂに文字列入力用の仮想キーボードｇ００を表示させる。図１１は、第１の指９１によってパスワード入力枠ｇ２２に前記短押し操作が行われたことによって仮想キーボードｇ００が表示されたログイン画面ｇ２を示す。
【０１０９】
＜工程Ｓ２１３＞
さらに、文字列入力制御部５１ｃが、操作パネル１ａにおける仮想キーボードｇ００の領域でのキータッチ操作に従って、前記入力パスワードを設定する。操作パネル１ａにおける仮想キーボードｇ００の領域でのキータッチ操作は、文字列入力操作の一例である。
【０１１０】
工程Ｓ２１３の処理は、パスワード入力枠ｇ２２の前記短押し操作が検出された場合に実行される。工程Ｓ２１３の処理を実行する文字列入力制御部５１ｃは、操作パネル１ａに対する文字列入力操作に従って前記入力パスワードを特定するパスワード入力部の一例である。
【０１１１】
文字列入力制御部５１ｃは、前記入力パスワードの記憶を保持したまま処理を工程Ｓ２０１へ移行させる。
【０１１２】
＜工程Ｓ２１４＞
工程Ｓ２０１において、タッチ操作検出部５１ｂがログインアイコンｇ２３をタッチする操作を検出した場合、ログイン制御部５１ｈは、パスワード認証処理に必要な前記ユーザーＩＤおよび前記パスワードが工程Ｓ２０２，Ｓ２１３の処理によって確定済みであるか否かを判定する。
【０１１３】
ログイン制御部５１ｈは、前記パスワード認証処理に必要な前記ユーザーＩＤおよび前記パスワードが確定済みであると判定した場合、処理を次の工程Ｓ２１５へ移行させ、そうでない場合、所定のエラー通知を表示部１ｂに表示させた上で、処理を工程Ｓ２０１へ移行させる。
【０１１４】
＜工程Ｓ２１５＞
工程Ｓ２１５において、パスワード認証部５１ｋが、前記パスワード認証処理を実行し、処理を工程Ｓ２０９へ移行させる。前記パスワード認証処理は、パスワード認証部５１ｋは、工程Ｓ２１３で設定された前記入力パスワードと、工程Ｓ２０３で得られた前記選択ユーザーＩＤに対応する登録パスワード４ｃとを照合することによって認証可否を判定する処理である。パスワード認証部５１ｋは、前記入力パスワードと登録パスワード４ｃとが一致する場合に認証可と判定し、そうでない場合に認証不可と判定する。
【０１１５】
＜工程Ｓ２１５に続く工程Ｓ２０９＞
工程Ｓ２１５に続く工程Ｓ２０９において、パスワード認証部５１ｋは、前記パスワード認証処理において認証可と判定した場合に、処理を前述した工程Ｓ２１０へ移行させ、そうでない場合に、所定のエラー通知を表示部１ｂに表示させた上で、処理を工程Ｓ２０１へ移行させる。
【０１１６】
本実施形態において、ユーザーが、第１の指９１によって手書きアイコンｇ０３を長押ししつつ、第２の指９２によって予め登録された手順で前記手書き操作を行い、第１の指９１を手書きアイコンｇ０３から離した時点で、前記ログイン処理のための操作が完了する。この操作は、前記パスワードを入力した上でログインアイコンｇ２３をタッチする操作に比べて簡易である。
【０１１７】
また、手書き検出部５１ｆは、操作パネル１ａに対する前記手書き操作の軌跡ｇ１１と前記手書き操作の時間、速度および画数のうちの１つまたは複数とを含む前記手書き手順を検出する。この手書き手順は、前記手書き操作が比較的単純な軌跡ｇ１１を表す操作であっても多くの情報を含む。そのため、簡易な前記手書き操作によってセキュリティー性の高い認証処理が可能である。
【０１１８】
また、検出結果表示制御部５１ｇが手書き検出部５１ｆの検出結果を表示部１ｂに表示させる。そのため、ユーザーは、第２の指９２の操作の感覚と、前記検出手書き手順の目視での確認とにより、より確実に認証処理に必要な前記手書き操作を行うことができる。
【０１１９】
また、認証装置１００は、ユーザーの好みに応じて、前記手書き認証処理および前記パスワード認証処理のいずれにも対応可能である。また、ログイン画面ｇ２のパスワード入力枠ｇ２２が、前記入力パスワードの入力のための短押し操作と、前記手書き操作のための長押し操作との両方に兼用される。そのため、シンプルなログイン画面ｇ２を採用することができる。
【０１２０】
また、前記検出手書き手順および前記登録手書き手順が、操作パネル１ａに対する前記手書き操作の前記画数と一画ごとの操作時間および操作速度の一方または両方とを含む。この場合、手書き認証部５１ｊは、前記手書き操作の一画ごとの前記手書き手順の検出結果が前記登録手書き手順に対して前記近似条件を満たすか否かを判定することができる。そのため、前記近似条件の成否の判定が容易である。
【０１２１】
また、手書き認証部５１ｊは、前記手書き操作における一画ごとの軌跡ｇ１１と時間および速度の一方または両方とが手書き検出部５１ｆによって検出されるごとに、一画ごとの検出結果が前記登録手書き手順に対して前記近似条件を満たすか否かを判定する。そして、手書き認証部５１ｊは、前記一画ごとの検出結果が前記登録手手書き手順に対して前記近似条件を満たさないと判定したときに認証不可と判定する。
【０１２２】
従って、前記手書き操作の途中で不適切な前記手書き手順が検出された場合、手書き認証部５１ｊは、前記手書き操作の終了を待つことなく速やかに認証不可の判定結果を出すことができる。
【０１２３】
また、手書き枠表示制御部５１ｅが、少なくとも操作パネル１ａに対する前記長押し操作が検出されなくなったときに手書き枠ｇ１を表示部１ｂから消去させ（Ｓ２０８）、手書き検出部５１ｆは、手書き枠ｇ１が表示部１ｂに表示されている期間に、前記タッチパネルにおける手書き枠ｇ１が示す領域に対する前記手書き操作の前記手書き手順を検出する（Ｓ２０６）。従って、前記手書き操作の終了のイベントを発生させるための特別な操作、例えば、手書き枠ｇ１に対応して表示される操作確定アイコンをタッチする操作などが不要である。
【符号の説明】
【０１２４】
１ａ      ：操作パネル
１ｂ      ：表示部
２        ：画像読取部
３        ：画像形成部
４        ：データ記憶部
４ａ      ：登録ユーザーＩＤ
４ｂ      ：登録手書き手順
４ｃ      ：登録パスワード
４ｘ      ：登録認証情報
５        ：制御部
６        ：バス
１０      ：画像処理装置
５１      ：ＵＩ制御部
５１ａ    ：登録制御部
５１ｂ    ：タッチ操作検出部（長押し検出部、短押し検出部）
５１ｃ    ：文字列入力制御部（パスワード入力部）
５１ｄ    ：ＩＤ重複チェック部
５１ｅ    ：手書き枠表示制御部
５１ｆ    ：手書き検出部
５１ｇ    ：検出結果表示制御部
５１ｈ    ：ログイン制御部（入力枠表示制御部）
５１ｉ    ：登録情報取得部（登録手書き手順取得部、登録パスワード取得部）
５１ｊ    ：手書き認証部
５１ｋ    ：パスワード認証部
５２      ：画像読取制御部
５３      ：画像形成制御部
９１      ：第１の指
９２      ：第２の指
１００    ：認証装置
２００    ：画像処理部
ｇ０      ：認証情報登録画面
ｇ００    ：仮想キーボード
ｇ０１    ：ユーザーＩＤ入力枠
ｇ０２    ：パスワード入力枠
ｇ０３    ：手書きアイコン
ｇ０４    ：登録アイコン
ｇ０５    ：中止アイコン
ｇ１      ：手書き枠
ｇ１０    ：グリッド
ｇ１００  ：手書き線画
ｇ１１    ：軌跡
ｇ１２    ：軌跡の移動方向を表す矢印
ｇ１３    ：書き順
ｇ２      ：ログイン画面
ｇ２１    ：ユーザーＩＤ入力枠
ｇ２２    ：パスワード入力枠
ｇ２３    ：ログインアイコン
ｇ３      ：エラー通知
【図１】
2018026026.tif 000003
【図２】
2018026026.tif 000004
【図３】
2018026026.tif 000005
【図４】
2018026026.tif 000006
【図５】
2018026026.tif 000007
【図６】
2018026026.tif 000008
【図７】
2018026026.tif 000009
【図８】
2018026026.tif 000010
【図９】
2018026026.tif 000011
【図１０】
2018026026.tif 000012
【図１１】
2018026026.tif 000013